(57)【特許請求の範囲】
【請求項１】
バルコニーの周縁部に設けられた腰壁部の上に手摺部が取り付けられたバルコニーにおける手摺取付構造であって、
前記腰壁部は、壁面材とその裏面側に設けられた腰壁フレームとを有し、
前記腰壁フレームは、複数の腰壁支柱とそれら腰壁支柱の上端部に跨がって設けられた横材とを有し、
前記手摺部は、前記横材上に立設され当該横材に固定された複数の手摺支柱を有し、
前記横材において前記手摺支柱が固定された固定部位には、当該横材を補強する補強部材が設けられており、
前記横材は、上方に前記各手摺支柱が立設された水平板部と、その水平板部における幅方向の両端部からそれぞれ下方に延びる一対の鉛直板部とを有し、
前記補強部材は、前記横材の内側において前記各鉛直板部に跨がって配設されているとともに、前記横材の前記水平板部と上下に対向する対向板部と、その対向板部の両端部からそれぞれ上方に延びて前記鉛直板部に重ねられた一対の重ね板部とを有し、
前記各重ね板部はそれぞれ前記鉛直板部に固定されていることを特徴とするバルコニーにおける手摺取付構造。
【請求項２】
前記補強部材の内側には、前記一対の重ね板部に跨がって補強板部が設けられていることを特徴とする請求項１に記載のバルコニーにおける手摺取付構造。
【請求項３】
前記手摺支柱の下端部には柱脚プレートが設けられており、
前記柱脚プレートは、前記横材の前記水平板部に第１ボルトにより固定される第１固定板部と、前記鉛直板部と前記重ね板部との重なり部分に第２ボルトにより固定される第２固定板部とを有することを特徴とする請求項１又は２に記載のバルコニーにおける手摺取付構造。
【請求項４】
前記重ね板部の内面には、ウェルディングナットが溶接固定されており、
前記第２ボルトが前記重なり部分を介して前記ウェルディングナットに締結されることで、前記第２固定板部が前記重なり部分に固定されていることを特徴とする請求項３に記載のバルコニーにおける手摺取付構造。
【発明の詳細な説明】
【技術分野】
【０００１】
本発明は、バルコニーにおける手摺取付構造に関する。
【背景技術】
【０００２】
住宅等の建物には、バルコニーが設けられている場合がある。バルコニーには、その周縁部に腰壁部が設けられている場合がある。特許文献１には、その腰壁部に関する構成が開示されている。特許文献１では、腰壁部が、所定の間隔で立設された複数の束と、それら束の屋外側に設けられた外壁面材とを備えている。各束は、その下部において腰壁部の幅方向に延びるバルコニー床大梁に固定されており、それにより腰壁部がバルコニー床大梁に対して支持固定されている。
【０００３】
また、特許文献１では、バルコニー床大梁に当該床大梁に直交して延びる複数のバルコニー床小梁が連結されている。この場合、バルコニー床大梁が各バルコニー床小梁により面外方向（腰壁部の壁厚み方向）に支持された状態となっている。そのため、腰壁部に面外方向への荷重が作用して、その荷重がバルコニー床大梁に伝達したとしても、バルコニー床大梁に面外方向への変形（例えば倒れ）が生じるのを抑制することができ、その結果かかる変形に伴う腰壁部の（面外方向への）倒れが生じるのを抑制することができる。
【先行技術文献】
【特許文献】
【０００４】
【特許文献１】特許第３６５９１７０号公報
【発明の概要】
【発明が解決しようとする課題】
【０００５】
ところで、バルコニーでは、腰壁部の高さ寸法を小さくし、その腰壁部の上に手摺部が取り付けられる場合がある。この場合、腰壁部には、上記複数の束の上端部に跨がってさらに横材が設けられ、その横材と各束とが互いに連結されて腰壁フレームが構成される。そして、この腰壁フレームの横材上に手摺部の支柱が立設され、その横材に対して支柱が固定されることになる。
【０００６】
このような構成では、手摺部に面外方向への荷重が作用すると、その荷重が支柱を介して横材に伝わることとなる。ここで、横材は、上記特許文献１のバルコニー床大梁のように、別の部材により面外方向に支持されているわけでないため、この場合、支柱を介して伝わる面外方向の荷重により、横材に同方向への変形が生じるおそれがある。そのため、横材の変形に伴い手摺部に倒れが生じるおそれがある。
【０００７】
本発明は、上記事情に鑑みてなされたものであり、バルコニーの周縁部に設けられた腰壁部の上に手摺部が取り付けられた構成において、その手摺部に倒れが生じるのを抑制することができるバルコニーにおける手摺取付構造を提供することを主たる目的とするものである。
【課題を解決するための手段】
【０００８】
上記課題を解決すべく、第１の発明のバルコニーにおける手摺取付構造は、バルコニーの周縁部に設けられた腰壁部の上に手摺部が取り付けられたバルコニーにおける手摺取付構造であって、前記腰壁部は、壁面材とその裏面側に設けられた腰壁フレームとを有し、前記腰壁フレームは、複数の腰壁支柱とそれら腰壁支柱の上端部に跨がって設けられた横材とを有し、前記手摺部は、前記横材上に立設され当該横材に固定された複数の手摺支柱を有し、前記横材において前記手摺支柱が固定された固定部位には、当該横材を補強する補強部材が設けられていることを特徴とする。
【０００９】
本発明によれば、腰壁フレームの横材上に手摺部の手摺支柱が立設され、その手摺支柱が横材に対して固定されている。そして、このような構成にあって、横材において手摺支柱が固定された固定部位には補強部材が設けられており、その補強部材により横材が補強されている。この場合、手摺部に作用する面外方向への荷重が手摺支柱を介して横材に伝わった場合に、横材に面外方向への変形（例えば倒れ）が生じるのを抑制することができる。そのため、かかる横材の変形に伴う手摺部の倒れを抑制することができる。
【００１０】
ところで、横材の厚みを大きくする等、横材自体の強度を高めることによっても、横材の変形を抑制することは可能である。但し、その場合、横材全体の強度を高めることになるため、横材において強度を高める必要のない箇所も無駄に高強度に形成されることになる。この点、上述の構成によれば、横材において手摺支柱が固定された固定部位にのみ、すなわち横材において手摺支柱を介して面外方向の力が作用する部位にのみ補強部材を配設して補強することができる。そのため、無駄に高強度に形成してコスト増大を招くといった不都合が生じるのを回避しながら、手摺部の倒れを抑制することができる。
【００１１】
第２の発明のバルコニーにおける手摺取付構造は、第１の発明において、前記横材は、上方に前記各手摺支柱が立設された水平板部と、その水平板部における幅方向の両端部からそれぞれ下方に延びる一対の鉛直板部とを有し、前記補強部材は、前記横材の内側において前記各鉛直板部に跨がって配設されていることを特徴とする。
【００１２】
本発明によれば、補強部材が横材の内側において各鉛直板部に跨がって配設されているため、横材の面外方向への変形を好適に抑制することができる。そのため、かかる横材の変形に伴う手摺部の倒れを好適に抑制することができる。
【００１３】
第３の発明のバルコニーにおける手摺取付構造は、第２の発明において、前記補強部材は、前記横材の前記水平板部と上下に対向する対向板部と、その対向板部の両端部からそれぞれ上方に延びて前記鉛直板部に重ねられた一対の重ね板部とを有し、前記各重ね板部はそれぞれ前記鉛直板部に固定されていることを特徴とする。
【００１４】
本発明によれば、補強部材が、横材の水平板部と上下に対向する対向板部と、その対向板部の両端部から上方へ延び横材の鉛直板部に重ねられる一対の重ね板部とを有しており、それら各重ね板部がそれぞれ鉛直板部に固定されている。この場合、横材において補強部材が設けられた箇所では、横材と補強部材とにより矩形の筒状体が形成される。そのため、横材の面外方向への変形をより一層抑制することができ、ひいては手摺部の倒れをより一層抑制することができる。
【００１５】
第４の発明のバルコニーにおける手摺取付構造は、第３の発明において、前記補強部材の内側には、前記一対の重ね板部に跨がって補強板部が設けられていることを特徴とする。
【００１６】
本発明によれば、補強部材の内側に各重ね板部に跨がって補強板部が設けられているため、各重ね板部の面外方向への変形を抑制することができる。この場合、補強部材による横材の面外方向への変形抑制効果を高めることができるため、手摺部の倒れをより一層抑制することが可能となる。
【００１７】
第５の発明のバルコニーにおける手摺取付構造は、第２乃至第４のいずれかの発明において、前記手摺支柱の下端部には柱脚プレートが設けられており、前記柱脚プレートは、前記横材の前記水平板部に第１ボルトにより固定される第１固定板部と、前記鉛直板部に第２ボルトにより固定される第２固定板部とを有することを特徴とする。
【００１８】
本発明によれば、手摺支柱の下端部に柱脚プレートが設けられており、その柱脚プレートの第１固定板部が横材の水平板部に第１ボルトで固定され、第２固定板部が横材の鉛直板部に第２ボルトで固定されている。この場合、柱脚プレートが横材に対して上下方向に固定されているだけでなく面外方向にも固定されているため、手摺部に面外方向への荷重が作用した場合に手摺支柱が同方向へ倒れるのを好適に抑制することができる。そのため、手摺部の倒れをさらに抑制することが可能となる。
【００１９】
第６の発明のバルコニーにおける手摺取付構造は、第５の発明において、前記補強部材は、前記横材の前記水平板部と上下に対向する対向板部と、その対向板部の両端部からそれぞれ上方に延びて前記鉛直板部に重ねられた一対の重ね板部とを有し、前記第２固定板部は、前記鉛直板部と前記重ね板部との重なり部分に前記第２ボルトにより固定されていることを特徴とする。
【００２０】
本発明によれば、横材の鉛直板部に補強部材の重ね板部が重ねられており、それら両板部の重なり部分に第２固定板部が第２ボルトにより固定されている。この場合、第２固定板部が比較的肉厚とされた部分に固定されることになるため、第２固定板部を安定した状態で固定することができる。これにより、手摺支柱の面外方向への倒れを好適に抑制することが可能となる。
【００２１】
第７の発明のバルコニーにおける手摺取付構造は、第６の発明において、前記重ね板部の内面には、ウェルディングナットが溶接固定されており、前記第２ボルトが前記重なり部分を介して前記ウェルディングナットに締結されることで、前記第２固定板部が前記重なり部分に固定されていることを特徴とする。
【００２２】
本発明によれば、補強部材の重ね板部の内面にウェルディングナットが溶接固定されており、そのウェルディングナットに第２ボルトが締結されることで第２固定板部が固定されている。この場合、横材を補強するための補強部材をウェルディングナットの下地として利用することができる。
【図面の簡単な説明】
【００２３】
【図１】建物の概要を示す斜視図。
【図２】腰壁部及び手摺部周辺の構成を示す縦断面図。
【図３】腰壁部及び手摺部を屋外側から見た図。
【図４】腰壁部及び手摺部を示す斜視図。
【図５】腰壁部及び手摺部を示す分解斜視図。
【図６】腰壁フレーム上に手摺支柱が固定された支柱固定部周辺を拡大して示す縦断面図。
【図７】手摺支柱と腰壁フレームとの固定構造を示す縦断面図。
【図８】手摺支柱と腰壁フレームとを離間させた状態で示す縦断面図。
【図９】（ａ）が補強ブラケットを示す平面図であり、（ｂ）が正面図であり、（ｃ）が側面図であり、（ｄ）が補強ブラケットの一部を拡大して示す斜視図である。
【発明を実施するための形態】
【００２４】
以下に、本発明を具体化した一実施の形態について図面を参照しつつ説明する。なお、図１は建物の概要を示す斜視図である。
【００２５】
図１に示すように、住宅等の建物１０は、複数の建物ユニット２０が互いに連結されることにより構成されたユニット式建物となっている。建物１０は、一階部分１１と二階部分１２とを有する二階建てとなっており、二階部分１２にはバルコニー１５が設けられている。バルコニー１５は、一階部分１１の上方に設けられたいわゆるルーフバルコニーとなっている。
【００２６】
バルコニー１５は、バルコニー床部１６と、バルコニー床部１６の周縁部に設けられた腰壁部１７とを備える。腰壁部１７の上方には手摺部１８が取り付けられている。手摺部１８は、その高さ寸法が腰壁部１７の高さ寸法よりも大きくされており、詳しくは、その高さ寸法が腰壁部１７においてバルコニー床部１６（バルコニー１５の床面）よりも上方に立ち上がる立ち上がり部分の高さ寸法よりも大きくされている。なお、以下においては、バルコニー１５において腰壁部１７及び手摺部１８により囲まれた内側空間をバルコニー空間ＢＳともいう。
【００２７】
次に、腰壁部１７及び手摺部１８周辺の構成について説明する。図２は、腰壁部１７及び手摺部１８周辺の構成を示す縦断面図である。図３は、腰壁部１７及び手摺部１８を屋外側から見た図である。
【００２８】
図２に示すように、バルコニー床部１６は、当該床部１６の土台を構成するバルコニー床フレーム２１を備える。バルコニー床フレーム２１は、四辺に組まれた４本のバルコニー床大梁２２と、対向する一対のバルコニー床大梁２２の間に架け渡された複数のバルコニー床小梁２３とを有する。バルコニー床大梁２２は断面コ字状の溝形鋼よりなり、バルコニー床小梁２３は角形鋼よりなる。各バルコニー床大梁２２はその溝部を内側に向けた状態で配設されている。なお、図示は省略するが、バルコニー床フレーム２１は、一階部分１１の建物ユニット２０上に配設され、同建物ユニット２０の天井部に固定されている。
【００２９】
バルコニー床フレーム２１の上には、ＡＬＣ床等からなる床下地材２５が設けられている。床下地材２５の上には、発泡ポリスチレン等からなる床断熱材２６が敷設されている。床断熱材２６の上には防水板２７が敷設されており、その防水板２７の上には床化粧材２８が敷設されている。防水板２７は、腰壁部１７側の端部が上方に立ち上げられて立ち上がり部２７ａとなっている。なお、防水板２７に代えて防水シートを用いてもよい。
【００３０】
図２及び図３に示すように、腰壁部１７は、その屋外側に設けられたバルコニー外壁面材３１と、バルコニー外壁面材３１の裏面側に設けられた腰壁フレーム３２とを備える。バルコニー外壁面材３１は、窯業系サイディングにより構成されている。なお、バルコニー外壁面材３１が「壁面材」に相当する。また、図示は省略するが、バルコニー外壁面材３１は、一階部分１１に設けられた外壁面材と上下に並んで配置されており、それら各外壁面材の間には化粧胴差が取り付けられている。
【００３１】
腰壁フレーム３２は、腰壁部１７の幅方向に所定の間隔で設けられた複数の腰壁支柱３４と、それら腰壁支柱３４の上端部に跨がって設けられた上弦材３５と、隣り合う腰壁支柱３４の下端部間に架け渡された複数の下桟３６とを有する。腰壁支柱３４はリップ付き溝形鋼よりなり、その溝開口をバルコニー空間ＢＳ側（以下、バルコニー空間ＢＳ側をバルコニー内側ともいう）に向けて配置されている。
【００３２】
腰壁支柱３４は、その下部がバルコニー床フレーム２１のバルコニー床大梁２２の屋外側に位置している。腰壁支柱３４の下部には金属製のブラケット３８，３９が溶接固定されている。それらのブラケット３８，３９はバルコニー床大梁２２にボルト４３により固定されている。これにより、腰壁支柱３４ひいては腰壁フレーム３２がバルコニー床大梁２２にブラケット３８，３９を介して固定されている。なお、腰壁支柱３４の下部の一部はバルコニー床大梁２２との干渉を回避すべく切り欠かれている。
【００３３】
上弦材３５は、断面コ字状の軽量溝形鋼よりなり、その溝開口を下方に向けて配置されている（図６も参照）。上弦材３５は、各腰壁支柱３４の上端部に溶接により固定されている。なお、上弦材３５が横材に相当する。下桟３６は、断面Ｌ字状の鋼材からなる。下桟３６は、その両端部が腰壁支柱３４の側面に溶接により固定されている。これら上弦材３５、下桟３６及び腰壁支柱３４に対してバルコニー外壁面材３１がビス等により固定されている。
【００３４】
次に、腰壁部１７の上に取り付けられた手摺部１８の構成について図２及び図３に加え図４及び図５を用いながら説明する。図４は、腰壁部１７及び手摺部１８を示す斜視図である。図５は、腰壁部１７及び手摺部１８を示す分解斜視図である。
【００３５】
図２〜図５に示すように、手摺部１８は、腰壁部１７の腰壁フレーム３２（詳しくは上弦材３５）上に所定間隔で立設された複数の手摺支柱４１と、それら手摺支柱４１の屋外側に設けられた手摺パネル４２とを備える。各手摺支柱４１は、腰壁フレーム３２の腰壁支柱３４と同じ間隔で配設され、それぞれが腰壁支柱３４の上方（真上）に配置されている。
【００３６】
手摺支柱４１は、上下に延びる長尺状の鋼板により形成されている。手摺支柱４１は、その厚み方向を腰壁部１７の幅方向に向けて配置されている。手摺支柱４１の下端部には、柱脚プレート４５が溶接により固定されている。手摺支柱４１は、この柱脚プレート４５を介して腰壁フレーム３２の上弦材３５に固定されている。
【００３７】
腰壁部１７の上方には、下笠木４６が設けられている。下笠木４６は、腰壁部１７に上方から被せられた状態で上弦材３５に笠木ホルダ（図示略）を用いて取り付けられている。
【００３８】
下笠木４６の上には、手摺支柱４１と同じ間隔で複数の支柱カバー４７が設けられている。支柱カバー４７は、手摺支柱４１の外側に被せられ、当該手摺支柱４１にボルト等で固定されている。支柱カバー４７は、その幅Ｗ１（腰壁部１７の幅方向の長さ）が腰壁支柱３４の幅Ｗ２よりも小さくなっており、詳しくは腰壁支柱３４の幅Ｗ２の半分以下となっている。これにより、支柱カバー４７の屋外側にガラス製の手摺パネル４２が設けられる構成にあって、意匠性が損なわれるのを抑制することができる。
【００３９】
下笠木４６の上において支柱カバー４７よりも屋外側には下桟４８が設けられている。下桟４８は、上方に開口する溝部４８ａを有し、その溝部４８ａにはグレイジングチャンネル４９が配設されている。
【００４０】
各支柱カバー４７の上端部には、上桟５１が設けられている。上桟５１は、支柱カバー４７の上端部にビス５２により固定されている。上桟５１は、支柱カバー４７よりも屋外側に延出して設けられ、その延出部分の下面側にはアタッチ材５４が取り付けられている。
【００４１】
アタッチ材５４とグレイジングチャンネル４９との間には手摺パネル４２が嵌め込まれている。手摺パネル４２は、透明性を有するガラス板からなり、詳しくは強化ガラスからなる。手摺パネル４２は、その下端部がグレイジングチャンネル４９に形成された上向きの溝部に嵌め込まれ、その上端部がアタッチ材５４に形成された下向きの溝部に嵌め込まれている。
【００４２】
上桟５１の上方には上笠木５５が設けられている。上笠木５５は、アタッチ材５４に上方から被さるように設けられ、その状態で上桟５１にビス等で固定されている。これにより、アタッチ材５４とグレイジングチャンネル４９との間に手摺パネル４２が保持されている。
【００４３】
次に、腰壁フレーム３２上に手摺支柱４１が固定された支柱固定部周辺の構成について説明する。図６は、その支柱固定部周辺を拡大して示す縦断面図である。図７は、手摺支柱４１と腰壁フレーム３２との固定構造を示す縦断面図である。図８は、手摺支柱４１と腰壁フレーム３２とを離間させた状態で示す縦断面図である。なお、図７は図６のＡ−Ａ線にて切断した断面図となっている。
【００４４】
図６〜図８に示すように、腰壁フレーム３２の上弦材３５は、上述したように断面コ字状に形成され、その溝部を下方に開口させた状態で配設されている。上弦材３５は、上方に手摺支柱４１が立設された水平板部３５ａと、その水平板部３５ａにおける幅方向（腰壁部１７の壁厚み方向）の両端部から下方に延びる一対の鉛直板部３５ｂ，３５ｃとを有する。水平板部３５ａは、その上面がバルコニー外壁面材３１の上端面と同じ高さ位置に設定されている。
【００４５】
各鉛直板部３５ｂ，３５ｃのうち、屋外側の鉛直板部３５ｂは、その屋外側面が腰壁支柱３４の屋外側面と面一とされている。また、バルコニー内側の鉛直板部３５ｃは、そのバルコニー内側面が腰壁支柱３４のバルコニー内側面と面一とされている。これら各鉛直板部３５ｂ，３５ｃはそれぞれ下端部が腰壁支柱３４の上端部に溶接により固定されている。また、鉛直板部３５ｂの屋外側面にはバルコニー外壁面材３１が取り付けられている。
【００４６】
上弦材３５において手摺支柱４１（柱脚プレート４５）が固定される固定部位には、その内側に補強ブラケット６０が設けられている。補強ブラケット６０は、上弦材３５において上記各固定部位ごとにそれぞれ配設されている。補強ブラケット６０は、鋼板により断面コ字状に形成されており、その溝部を上方に向けた（開口させた）状態で上弦材３５の内側に配設されている。補強ブラケット６０は、その厚みが上弦材３５の厚みよりも大きくされており、またその長さ（上弦材３５の長手方向の長さ）が手摺支柱４１の柱脚プレート４５の幅（上弦材３５の長手方向の長さ）と略同じとされている。なお、補強ブラケット６０が補強部材に相当する。
【００４７】
図９には、補強ブラケット６０の構成が示されている。以下、図６〜図８に加え、図９を用いながら補強ブラケット６０の説明を続ける。
【００４８】
図６〜図９に示すように、補強ブラケット６０は、上弦材３５の水平板部３５ａと上下に対向して配置された水平板部６０ａと、その水平板部６０ａにおける幅方向（腰壁部１７の壁厚み方向）の両端部から上方に延びる一対の鉛直板部６０ｂ，６０ｃとを有する。水平板部６０ａは、その下面が上弦材３５の各鉛直板部３５ｂ，３５ｃの下端部と同じ高さ位置に設定されている。鉛直板部６０ｂは、上弦材３５の鉛直板部３５ｂの内側面に重ね合わせられ、当該鉛直板部３５ｂに溶接により固定されている。鉛直板部６０ｃは、上弦材３５の鉛直板部３５ｃの内側面に重ね合わせられ、当該鉛直板部３５ｃに溶接により固定されている。なお、水平板部６０ａが対向板部に相当し、各鉛直板部６０ｂ，６０ｃが重ね板部に相当する。
【００４９】
また、各鉛直板部６０ｂ，６０ｃの上端部はその外面側が面取りされた面取り部６０ｄとなっている。この面取り部６０ｄにより、補強ブラケット６０を上弦材３５の内側に配設する際その作業がし易くなっている。
【００５０】
補強ブラケット６０の内側にはスチフナ６１が配設されている。スチフナ６１は、矩形平板状の鋼板よりなり、その大きさが補強ブラケット６０の溝部の断面と略同じ大きさとされている。スチフナ６１は、補強ブラケット６０の溝部において縦向きで配設されている。スチフナ６１は、補強ブラケット６０の各鉛直板部６０ｂ，６０ｃに跨がるように配置され、それら各鉛直板部６０ｂ，６０ｃに溶接により固定されている。また、スチフナ６１は、補強ブラケット６０において長手方向（換言すると上弦材３５の長手方向）の中央部に配置され、手摺支柱４１の真下に位置している。なお、スチフナ６１が補強板部に相当する。
【００５１】
ここで、腰壁部１７の頂部には、当該頂部を覆うように防水層が形成されている。以下、この防水層に関する構成について説明する。
【００５２】
図８に示すように、腰壁部１７の頂部（上端部）には、防水テープ５６が貼り付けられている。防水テープ５６はブチルテープにより構成され、腰壁部１７の幅方向に沿って貼り付けられている。防水テープ５６は、バルコニー外壁面材３１の上端面と上弦材３５（水平板部３５ａ）の上面とに跨がって貼り付けられており、その幅方向の両端側がそれぞれバルコニー外壁面材３１の外壁面及び上弦材３５（鉛直板部３５ｃ）のバルコニー内側面に沿って垂下されている。バルコニー外壁面材３１側に垂下された部分は同外壁面材３１の外壁面材に貼り付けられている。その一方で、上弦材３５の鉛直板部３５ｃ側に垂下された部分は、鉛直板部３５ｃとの間に壁下シート５７の上端部を介在させて当該上端部に貼り付けられている。壁下シート５７は、上弦材３５よりも下方へ延びており、その下部が防水板２７の立ち上がり部２７ａをバルコニー内側から覆っている。壁下シート５７と立ち上がり部２７ａとの間にはクッション材５８が介在されている。壁下シート５７は、クッション材５８と立ち上がり部２７ａとともに、腰壁フレーム３２に設けられた防水下地板５９にビス等により固定されている。なお、防水下地板５９は、腰壁フレーム３２において腰壁支柱３４間に架け渡されて設けられている。
【００５３】
上記のように、腰壁部１７の頂部には、防水テープ５６と壁下シート５７とを含んで連続した防水層が形成されている。この防水層により腰壁部１７の頂部から雨水等の水が腰壁部１７内部ひいては建物１０内部に入り込むことが抑制されている。
【００５４】
次に、腰壁フレーム３２上に固定された手摺支柱４１の固定構成について説明する。
【００５５】
上述したように、手摺支柱４１は、その下端部に設けられた柱脚プレート４５を介して腰壁フレーム３２の上弦材３５に固定されている。柱脚プレート４５は、Ｌ字状の鋼板により形成され、上弦材３５の水平板部３５ａに対向する水平板部４５ａと、鉛直板部３５ｃに対向する鉛直板部４５ｂとを有する。水平板部４５ａには、手摺支柱４１の下端部が溶接により固定されている。手摺支柱４１は、水平板部４５ａにおいてその幅方向（上弦材３５の長手方向）の中央部に固定されている。
【００５６】
水平板部４５ａは、上弦材３５の水平板部３５ａとの間に防水テープ５６を介在させた状態で当該水平板部３５ａに上方からボルト６３により固定されている。ボルト６３は、水平板部４５ａにおいて手摺支柱４１を挟んだ両側に設けられている。それら各ボルト６３はそれぞれ各水平板部３５ａ，４５ａを介して水平板部３５ａの裏面に溶接固定されたウェルディングナット６４に締結されている。なお、水平板部４５ａが第１固定板部に相当し、ボルト６３が第１ボルトに相当する。
【００５７】
鉛直板部４５ｂは、上弦材３５の鉛直板部３５ｃとの間に防水テープ５６及び壁下シート５７を介在させた状態で当該鉛直板部３５ｃにボルト６６によりバルコニー空間ＢＳ側から固定されている。ボルト６６は、鉛直板部４５ｂにおいてその幅方向（上弦材３５の長手方向）における手摺支柱４１を挟んだ両側にそれぞれ設けられている。各ボルト６６はそれぞれ、鉛直板部４５ｂと上弦材３５の鉛直板部３５ｃと補強ブラケット６０の鉛直板部６０ｃとを介して当該鉛直板部６０ｃの裏面に溶接固定されたウェルディングナット６７に締結されている。この場合、鉛直板部４５ｂは、上弦材３５の鉛直板部３５ｃと補強ブラケット６０の鉛直板部６０ｃとが重なる重なり部分に固定されている。なお、鉛直板部４５ｂが第２固定板部に相当し、ボルト６６が第２ボルトに相当する。
【００５８】
以上、詳述した本実施形態の構成によれば、以下の優れた効果が得られる。
【００５９】
腰壁フレーム３２の上弦材３５の上に手摺部１８の手摺支柱４１を立設し、その手摺支柱４１を上弦材３５に対して固定した。そして、このような構成にあって、上弦材３５において手摺支柱４１が固定された固定部位に補強ブラケット６０を配設した。この場合、手摺部１８に作用する面外方向（腰壁部１７の壁厚み方向）への荷重が手摺支柱４１を介して上弦材３５に伝わった場合に、上弦材３５に面外方向への変形（例えば倒れ）が生じるのを抑制することができる。そのため、かかる上弦材３５の変形に伴う手摺部１８の倒れを抑制することができる。
【００６０】
ところで、上弦材３５の厚みを大きくする等、上弦材３５自体の強度を高めることによっても、上弦材３５の変形を抑制することは可能である。但し、その場合、上弦材３５全体の強度を高めることになるため、上弦材３５において強度を高める必要のない箇所も無駄に高強度に形成されることになる。この点、上述の構成によれば、上弦材３５において手摺支柱４１が固定された固定部位にのみ、すなわち上弦材３５において手摺支柱４１を介して面外方向の力が作用する部位にのみ補強ブラケット６０を配設し補強することができる。そのため、無駄に高強度に形成してコスト増大を招くといった不都合を回避しながら、手摺部１８の倒れを抑制することができる。
【００６１】
補強ブラケット６０を上弦材３５の内側に配設したため、補強ブラケット６０により上弦材３５の補強を行いながら、腰壁部１７の頂部に防水層を形成することができる。これにより、腰壁部１７内部への水の浸入を防止しながら、手摺部１８の倒れを抑制することができる。
【００６２】
補強ブラケット６０を上弦材３５の内側において各鉛直板部３５ｂ，３５ｃに跨がるように配設したため、上弦材３５の面外方向への変形を好適に抑制することができる。そのため、かかる変形に伴う手摺部１８の倒れを好適に抑制することができる。
【００６３】
補強ブラケット６０を、上弦材３５の水平板部３５ａと上下に対向する水平板部６０ａと、水平板部６０ａの両端部からそれぞれ上方へ延び上弦材３５の各鉛直板部３５ｂ，３５ｃに重ねられた一対の鉛直板部６０ｂ，６０ｃとを有して構成し、それら各鉛直板部６０ｂ，６０ｃをそれぞれ鉛直板部３５ｂ，３５ｃに固定した。この場合、上弦材３５において補強ブラケット６０が配設された箇所では、上弦材３５と補強ブラケット６０とにより矩形の筒状体が形成される。そのため、上弦材３５の面外方向への変形をより一層抑制することができ、ひいては手摺部１８の倒れをより一層抑制することができる。
【００６４】
補強ブラケット６０の内側に、各鉛直板部６０ｂ，６０ｃに跨がるようにスチフナ６１を配設したため、各鉛直板部６０ｂ，６０ｃの面外方向への変形を抑制することができる。この場合、補強ブラケット６０による上弦材３５の面外方向への変形抑制効果を高めることができるため、手摺部１８の倒れをより一層抑制することができる。
【００６５】
手摺支柱４１の下端部にＬ字状の柱脚プレート４５を設け、その柱脚プレート４５の水平板部４５ａを上弦材３５の水平板部３５ａにボルト６３により固定し、鉛直板部４５ｂをボルト６６により鉛直板部３５ｃに固定した。この場合、柱脚プレート４５が上弦材３５に対して上下方向に固定されているだけでなく面外方向にも固定されているため、手摺部１８に面外方向への荷重が作用した場合に手摺支柱４１が同方向へ倒れるのを好適に抑制することができる。そのため、手摺部１８の倒れをさらに抑制することが可能となる。
【００６６】
具体的には、上弦材３５の鉛直板部３５ｃと補強ブラケット６０の鉛直板部６０ｃとが重なる重なり部分に柱脚プレート４５の鉛直板部４５ｂをボルト６３で固定した。この場合、鉛直板部４５ｂが比較的肉厚とされた部分に固定されることになるため、鉛直板部４５ｂを安定した状態で固定することができる。これにより、手摺支柱４１の面外方向への倒れを好適に抑制することが可能となる。
【００６７】
補強ブラケット６０の鉛直板部６０ｃの内面にウェルディングナット６７を溶接固定した。そして、そのウェルディングナット６７にボルト６６を上弦材３５の鉛直板部３５ｃと補強ブラケット６０の鉛直板部６０ｃとの重なり部分を介して締結することで、鉛直板部４５ｂを上記重なり部分に固定した。この場合、上弦材３５を補強するための補強ブラケット６０をウェルディングナット６７の下地として利用することができる。
【００６８】
本発明は上記実施形態に限らず、例えば次のように実施されてもよい。
【００６９】
・補強ブラケット６０の構成は必ずしも上記実施形態のものに限定されない。例えば、補強ブラケットを平板により形成し、その補強ブラケットを上弦材３５の内側において各鉛直板部３５ｂ，３５ｃに跨がるように設けてもよい。その場合にも、上弦材３５の面外方向への変形を好適に抑制することができる。
【００７０】
・上記実施形態では、補強ブラケット６０の内側に補強板部としてのスチフナ６１を設けたが、補強板部は必ずしも平板状とする必要はなく立体形状としてもよい。例えば、補強板部を鋼板によりコ字状に形成することが考えられる。なお、補強ブラケット６０の内側に補強板部を設けないようにしてもよい。
【００７１】
・上記実施形態では、ガラス製の手摺パネル４２を有する手摺部１８に本発明の手摺取付構造を適用したが、ルーバー式のパネルを有する手摺部等、他の構成からなる手摺部に本発明を適用してもよい。要するに、手摺部が、その手摺支柱を腰壁フレームの上弦材上に固定することで設置される構成であれば本発明を適用することができる。
【００７２】
・上記実施形態では、バルコニー１５がルーフバルコニーであったが、バルコニーがキャンチ式のバルコニーである場合にも、本発明の手摺取付構造を適用できる。また、上記実施形態では、ユニット式建物への適用例を説明したが、鉄骨軸組工法により構築される建物等、他の構造の建物にも本発明を適用できる。
【符号の説明】
【００７３】
１０…建物、１５…バルコニー、１７…腰壁部、１８…手摺部、３１…壁面材としてのバルコニー外壁面材、３２…腰壁フレーム、３４…腰壁支柱、３５…横材としての上弦材、３５ａ…水平板部、３５ｂ…鉛直板部、３５ｃ…鉛直板部、４１…手摺支柱、４５…柱脚プレート、４５ａ…第１固定板部としての水平板部、４５ｂ…第２固定板部としての鉛直板部、６０…補強部材としての補強ブラケット、６０ａ…対向板部としての水平板部、６０ｂ…重ね板部としての鉛直板部、６０ｃ…重ね板部としての鉛直板部、６１…補強板部としてのスチフナ、６３…第１ボルトとしてのボルト、６６…第２ボルトとしてのボルト、６７…ウェルディングナット。
【図１】
0006368272.tif 000002
【図２】
0006368272.tif 000003
【図３】
0006368272.tif 000004
【図４】
0006368272.tif 000005
【図５】
0006368272.tif 000006
【図６】
0006368272.tif 000007
【図７】
0006368272.tif 000008
【図８】
0006368272.tif 000009
【図９】
0006368272.tif 000010